(57)【要約】【課題】本発明は、無線通信ネットワークに基づくペット用インタラクティブシステムを提供する。【解決手段】無線通信ネットワークに基づくペット用インタラクティブシステムは、室内に取付けられた無線カメラ、ペット用玩具及び制御端末を含み、無線カメラが撮影の影像を制御端末に送信し、ペット用玩具には、制御端末と通信するための無線通信モジュールと、即時に無線通信モジュールで受信した制御端末からの音声を再生するための発声モジュールと、制御端末の発した制御指令によりペット用玩具の走行を制御するための制御モジュールとが、取付けられている。【選択図】図１
2016220671.tif 000002
【特許請求の範囲】
【請求項１】
無線カメラ（１）、ペット用玩具（２）及び制御端末（３）を含み、
前記無線カメラ（１）は室内に固定され、撮影の影像を前記制御端末（３）に送信し、
前記ペット用玩具（２）内には、前記制御端末（３）と通信するための無線通信モジュール（２１）と、即時に前記無線通信モジュール（２１）で受信した前記制御端末（３）からの音声を再生するための発声モジュール（２２）と、前記制御端末（３）の発した制御指令により前記ペット用玩具（２）の走行を制御するための制御モジュール（２３）とが、取付けられており、
前記制御端末（３）は、前記無線カメラ（１）が撮影した影像を受信して表示し、同時に使用者の音声及び制御指令を受信し、且つ前記ペット用玩具（２）の前記無線通信モジュール（２１）に送信することを特徴とする無線通信ネットワークに基づくペット用インタラクティブシステム。
【請求項２】
前記ペット用玩具（２）にカメラ（２４）が取付けられ、且つ前記無線通信モジュール（２１）により、前記カメラ（２４）が撮影した影像を前記制御端末（３）に送信し、表示することを特徴とする請求項１に記載の無線通信ネットワークに基づくペット用インタラクティブシステム。
【請求項３】
前記ペット用玩具（２）に更に感応センサー（２５）が取付けられ、前記感応センサー（２５）が検出した感応信号を前記無線通信モジュール（２１）により前記制御端末（３）に送信し、前記制御端末（３）が感応信号を受信する時、提示音を発することを特徴とする請求項１に記載の無線通信ネットワークに基づくペット用インタラクティブシステム。
【請求項４】
前記無線通信モジュール（２１）及び前記無線カメラ（１）がそれぞれＷｉＦｉ（登録商標）により前記制御端末（３）との通信接続を実現できることを特徴とする請求項１に記載の無線通信ネットワークに基づくペット用インタラクティブシステム。
【請求項５】
前記制御端末（３）は、インテリジェント携帯電話或いはフラットパネルコンピュータとすることを特徴とする請求項１に記載の無線通信ネットワークに基づくペット用インタラクティブシステム。
【発明の詳細な説明】
【技術分野】
【０００１】
本発明はペット用玩具分野に属し、特に無線通信ネットワークに基づくペット用インタラクティブシステムに関する。
【背景技術】
【０００２】
ペットの飼養は、現行の社会には一般的で普通の事であり、人々の楽しみの重要な手段となる。既に人とペットとの間に重要な関係を確立しており、このような関係の親密は親情、友情、愛情を超越する可能性があり、両者間の関係が簡単で微妙であるからである。ペットは、人類の伴侶の動物として、人類が幸福で健康な生活を獲得する源の一つであり、ペットの飼養は、人々の生活をより健康にし、充実させる。
【０００３】
然し、ペットの飼養も一定の程度で所有者の自由を制限し、所有者が外出する必要があり、或いは家に人がない場合には、ペットを看護できず、ペットを家にしか閉鎖できない。この時、多くのペットが孤独を感じ、思いやりのある所有者はペットに少しの玩具を提供するが、所有者の同伴を代替できず、長期で更にペットの心身の健康に影響する。
【発明の概要】
【発明が解決しようとする課題】
【０００４】
本発明の目的は、ことにある前記問題に対して、無線通信ネットワークに基づくペット用インタラクティブシステムを提供し、ペットの所有者が時々刻々所有者の状況を観察でき、且つペットが遊ぶペット用玩具を長距離で制御できる。
【課題を解決するための手段】
【０００５】
本発明の目的はこのように実現される。
無線通信ネットワークに基づくペット用インタラクティブシステムは、無線カメラ、ペット用玩具及び制御端末を含み、
前記無線カメラは室内に固定され、撮影した影像を前記制御端末に送信し、
前記ペット用玩具内には、前記制御端末と通信するための無線通信モジュールと、即時に前記無線通信モジュールで受取られた前記制御端末からの音声を再生するための発声モジュールと、前記制御端末の発した制御指令により前記ペット用玩具の走行を制御するための制御モジュールとが、それぞれ取付けられており、
前記制御端末は、前記無線カメラが撮影した影像を受信して表示し、同時に使用者の音声及び制御指令を受信し、且つ前記ペット用玩具の前記無線通信モジュールに送信することを特徴とする。
【０００６】
一層として、前記ペット用玩具にカメラが取付けられ、且つ前記無線通信モジュールにより、前記カメラが撮影した影像を、前記制御端末に送信し、表示する。
【０００７】
一層として、前記ペット用玩具に更に感応センサーが取付けられ、前記感応センサーが検出した感応信号を前記無線通信モジュールにより前記制御端末に送信し、前記制御端末が感応信号を受取する時提示音を発する。
【０００８】
一層として、前記無線通信モジュール及び前記無線カメラがそれぞれＷｉＦｉ（登録商標）により前記制御端末との通信接続を実現できる。
【０００９】
より一層として、前記制御端末はインテリジェント携帯電話或いはフラットパネルコンピュータとする。
【発明の効果】
【００１０】
本発明の無線通信ネットワークに基づくペット用インタラクティブシステムによれば、所有者がインテリジェント携帯電話或いはフラットパネルコンピュータにより時々刻々家内のペットの状況を観察でき、且つ長距離でペット用玩具がペットと遊ぶように制御し、更にペットがペット用玩具により所有者の音声を聞き、所有者とペットとの長距離インタラクティブを実現する。
【図面の簡単な説明】
【００１１】
【図１】一実施形態に係る無線通信ネットワークに基づくペット用インタラクティブシステムの見取図である。
【図２】一実施の形態に係る無線通信ネットワークに基づくペット用インタラクティブシステムの構造ブロック図である。
【発明を実施するための形態】
【００１２】
以下、具体的な実施例及び図面を参照して、本発明について説明する。
【００１３】
図１及び図２に示すように、無線通信ネットワークに基づくペット用インタラクティブシステムは、無線カメラ１、ペット用玩具２及び制御端末３を備える。
【００１４】
無線カメラ１が室内に固定され、通常に視角が大きく、視野が明晰である位置を設置場所として選定し、例えば部屋頂部の一角とし、部屋の大部分の場所を撮影でき、室内のペットの活動状況を撮影でき、且つ無線カメラ１がＷｉＦｉ（登録商標）により制御端末３との通信接続を実現し、撮影された影像を制御端末３に送信する。
【００１５】
ペット用玩具２内には、無線通信モジュール２１、発声モジュール２２及び制御モジュール２３が取付けられる。その中で、無線通信モジュール２１がＷｉＦｉ（登録商標）により制御端末３と通信し、発声モジュール２２が即時に無線通信モジュール２１で受信した制御端末３からの音声を再生し、制御モジュール２３が制御端末３から送信された制御指令に基づきペット用玩具２の走行を制御する。
【００１６】
制御端末３は、一般的にインテリジェント携帯電話或いはフラットパネルコンピュータであり、無線カメラ１撮影の影像を受信し、使用者が観察できるように表示させ、同時に使用者の音声及び制御指令を受信し、且つペット用玩具２の無線通信モジュール２１に送信する。通常、ただ一つの制御端末３のみにより複数のペット用玩具２への制御を実現できる。
【００１７】
固定された無線カメラ１は、撮影死角を有するため、ペット用玩具２にもカメラ２４が取付けられ、ペットとペット用玩具２との間の遊び状況を便利に観察し、且つ無線通信モジュール２１により撮影された影像を制御端末３に送信して表示できる。
【００１８】
本システムを使用すれば、ペットの所有者が携帯電話或いはフラットパネルコンピュータにより随時に室内のペットの活動状況を観察でき、更に遠距離でもペット用玩具の走行を制御でき、ペットの注意を引き付けてペット用玩具と遊ばせ、且つ携帯電話或いはフラットパネルコンピュータにペットに対する音声指令を送信でき、該音声指令をペット用玩具が受信することで、ペット用玩具が所有者と同じ音声指令を発信でき、ペット用玩具へのペットの興味を引きつける。
【００１９】
所有者が外出した場合、時々刻々家内のペットの状況を把握できず、適時にペットの喜ぶペット用玩具２がペットと遊ぶように制御できない。本実施の形態では、ペット用玩具２に更に感応センサー２５が取付けられ、感応センサー２５が検出した感応信号は、無線通信モジュール２１により制御端末３に送信され、制御端末３が感応信号を受信する時、提示音を発する。ペットがペット用玩具２に興味を示した場合、該ペット用玩具２に近寄る時、感応センサー２５が検出し、この時所有者の携帯電話或いはフラットパネルコンピュータが提示音を発し、該ペット用玩具２の走行或いは発声を制御するように提示し、ペットとの遊び・インタラクティブを実現する。
【符号の説明】
【００２０】
１  無線カメラ
２  ペット用玩具
３  制御端末
２１  無線通信モジュール
２２  発生モジュール
２３  制御モジュール
２４  カメラ
２５  感応センサー
【図１】
2016220671.tif 000003
【図２】
2016220671.tif 000004